(57)【要約】【課題】第１に同一のプリントシート上に必要最小限の証明写真及び付加画像をプリント可能としてプリント写真の有効活用を図り、第２に証明写真のプリントに利用された撮影画像を用いて名刺を作成可能とし、撮影画像の有効活用を図る。【解決手段】写真撮影装置１００では、サービスプリントメニューが選択されると、制御部１１では付加画像であるサービス画像が生成される。そして、所定のプリントフォーマットがＲＯＭ１３から読み出され、当該プリントフォーマットに従って指定された枚数分の撮影画像が配置されるとともに、その空領域に生成されたサービス画像が配置された証明写真シートのプリントデータが生成される。当該生成されたプリントデータがプリンタ部７０に出力され、プリンタ部７０ではプリントデータに基づいて証明写真シートのプリント出力が行われる。【選択図】図２
2005303800.tif 000002
【特許請求の範囲】
【請求項１】
顧客による操作指示に従って顧客を撮影し、その撮影画像を生成する撮影手段と、前記撮影手段により生成された撮影画像に基づいて所定のプリントシート上に顧客の証明写真画像をプリント出力するプリント手段と、を備えた写真撮影装置において、
前記証明写真画像と同一シート上にプリント出力する付加画像を生成する画像生成手段と、
前記証明写真画像と、前記生成された付加画像とを同一シート上に配置して前記プリント手段によりプリント出力させる制御手段と、
を備えることを特徴とする写真撮影装置。
【請求項２】
前記画像生成手段は、前記撮影画像に加工処理を施して付加画像を生成することを特徴とする請求項１に記載の写真撮影装置。
【請求項３】
前記画像生成手段は、外部から取り込まれた取込画像に基づいて付加画像を生成することを特徴とする請求項１に記載の写真撮影装置。
【請求項４】
証明写真のプリント枚数を指定操作するための操作手段を備え、
前記制御手段は、前記操作手段を介して指定された証明写真のプリント枚数分の前記証明写真画像と、前記付加画像とを同一シート上に配置してプリント出力させることを特徴とする請求項１〜３の何れか一項に記載の写真撮影装置。
【請求項５】
顧客による操作指示に従って顧客を撮影し、その撮影画像を生成する撮影手段と、前記撮影手段により生成された撮影画像に基づいて所定のプリントシート上に顧客の証明写真画像をプリント出力するプリント手段と、を備えた写真撮影装置において、
文字又は記号の情報の入力操作を行うための操作手段と、
前記操作手段を介して入力された文字又は記号と前記顧客の撮影画像とを配置した名刺シートを前記プリント手段によりプリント出力させる制御手段と、
を備えることを特徴とする写真撮影装置。
【発明の詳細な説明】
【技術分野】
【０００１】
本発明は、パスポートや履歴書等に使用される証明写真や、ポートレート、記念写真等を撮影する写真撮影装置に関する。
【背景技術】
【０００２】
従来から、免許証やパスポート、履歴書等に貼付するような証明写真等を撮影するためのボックス型の写真撮影装置が普及しており、街頭や店頭に設置されている。このような写真撮影装置では、撮影ボックス内に顧客が入り、ガイドに従って顧客自らが撮影操作することにより、簡単にかつ短時間でプリント写真を得ることができる。
【０００３】
免許証、パスポート等で使用される証明写真は、そのサイズやカラー、白黒等の条件が指定されているため、上記写真撮影装置では撮影された撮影画像のサイズやカラー又は白黒等のプリント種類を顧客が選択できるように構成されている。また、証明写真は、予備の分も考慮して同一プリントシート上に撮影画像が３〜８コマと複数並べられてプリントされることが一般的である。また、複数回撮影を行って得られた各撮影画像を複数コマ並べて同一シート上にプリントする場合もある（例えば特許文献１参照）。
【特許文献１】特開２０００−２９１０号公報
【発明の開示】
【発明が解決しようとする課題】
【０００４】
しかしながら、履歴書で使用する場合は別として、免許証やパスポートで使用する証明写真は、最低１枚、予備用を含めても２、３枚あれば足りるものであり、それ以上の証明写真は不要であった。従って、不要分の証明写真は有効活用されることなく、その分のプリントに係る資源が無駄となっていた。
【０００５】
また、近年では名刺にその名刺の持ち主の顔画像をプリントすることが多く、証明写真をそのまま名刺の作成に利用したいという要望がある。しかしながら、従来の写真撮影装置では名刺を作成する機能がなく、また一度証明写真のプリントに利用された撮影画像のデータは、個人情報の保護のためにも証明写真のプリントに利用された後、すぐに消去されるように構成されているため、証明写真用に撮影された撮影画像の再利用はできなかった。
【０００６】
本発明の課題は、第１に同一のプリントシート上に必要最小限の証明写真及び付加画像をプリント可能としてプリント写真の有効活用を図ることであり、第２に証明写真のプリントに利用された撮影画像を用いて名刺を作成可能とし、撮影画像の有効活用を図ることである。
【課題を解決するための手段】
【０００７】
請求項１に記載の発明は、写真撮影装置において、
顧客による操作指示に従って顧客を撮影し、その撮影画像を生成する撮影手段と、前記撮影手段により生成された撮影画像に基づいて所定のプリントシート上に顧客の証明写真画像をプリント出力するプリント手段と、を備えた写真撮影装置において、
前記証明写真画像と同一シート上にプリント出力する付加画像を生成する画像生成手段と、
前記証明写真画像と、前記生成された付加画像とを同一シート上に配置して前記プリント手段によりプリント出力させる制御手段と、
を備えることを特徴とする。
【０００８】
請求項２に記載の発明は、請求項１に記載の写真撮影装置において、
前記画像生成手段は、前記撮影画像に加工処理を施して付加画像を生成することを特徴とする。
【０００９】
請求項３に記載の発明は、請求項１に記載の写真撮影装置において、
前記画像生成手段は、外部から取り込まれた取込画像に基づいて付加画像を生成することを特徴とする。
【００１０】
請求項４に記載の発明は、請求項１〜３の何れか一項に記載の写真撮影装置において、
証明写真のプリント枚数を指定操作するための操作手段を備え、
前記制御手段は、前記操作手段を介して指定された証明写真のプリント枚数分の前記証明写真画像と、前記付加画像とを同一シート上に配置してプリント出力させることを特徴とする。
【００１１】
請求項５に記載の発明は、写真撮影装置において、
顧客による操作指示に従って顧客を撮影し、その撮影画像を生成する撮影手段と、前記撮影手段により生成された撮影画像に基づいて所定のプリントシート上に顧客の証明写真画像をプリント出力するプリント手段と、を備えた写真撮影装置において、
文字又は記号の情報の入力操作を行うための操作手段と、
前記操作手段を介して入力された文字又は記号と前記顧客の撮影画像とを配置した名刺シートを前記プリント手段によりプリント出力させる制御手段と、
を備えることを特徴とする。
【発明の効果】
【００１２】
請求項１に記載の発明によれば、証明写真画像と同一シート上に付加画像をプリントするので、顧客は証明写真とともに付加画像のプリント写真を得ることができ、プリント写真を有効活用することができる。従って、写真撮影装置に対する顧客の満足度を向上させることができる。
【００１３】
請求項２に記載の発明によれば、付加画像として、撮影画像に加工処理を施したもの、例えば撮影画像に観光地、フレーム等の背景画像を合成加工したものや、文字や記号等を合成加工したもの、鮮鋭化処理や階調処理等の加工処理を施したものをプリントすることができる。
【００１４】
請求項３に記載の発明によれば、付加画像として、外部から取り込まれた取込画像を利用したもの、例えばデジタルカメラ等を用いて顧客により撮影された風景画像やポートレート等を取り込み、その取込画像をサイズ調整したり、文字や記号等を合成加工したりしたものをプリントすることができる。顧客は、証明写真をプリントするついでに顧客が撮影した画像をプリントすることができる。
【００１５】
請求項４に記載の発明によれば、指定されたプリント枚数分の証明写真をプリントするので、顧客が必要とする最小限の証明写真を提供することができ、余分な証明写真のプリントの無駄を省くことができる。
【００１６】
請求項５に記載の発明によれば、証明写真用に撮影された撮影画像を用いて名刺シートをプリントすることができ、撮影画像を有効活用することができる。また、顧客は証明写真とともに名刺も得ることができ、写真撮影装置に対する顧客の満足度を向上させることができる。
【発明を実施するための最良の形態】
【００１７】
〈第１実施形態〉
第１実施形態では、証明写真と同一シート上にプリントする付加画像を生成し、同一シート上に証明写真としてプリントされる複数の証明写真画像の一部を付加画像に置き換えてプリント出力する例を説明する。ここで、付加画像とは、証明写真と同一シート上に付加的にプリントする画像のことをいい、例えば証明写真用に撮影された証明写真画像を画像加工した画像や、カメラ付き携帯電話等で撮影されて外部から写真撮影装置に取り込まれた画像、証明写真画像を用いて生成された名刺画像等が挙げられる。
【００１８】
まず、構成を説明する。
図１に、第１実施形態における写真撮影装置１００の透視図を示す。
図１に示すように、写真撮影装置１００はボックス型に形成されており、その外壁にはプリント写真を取り出す取出口７１が設置されており、ボックス内部（以下、撮影室という）には、被写体Ｍ用の椅子Ｃが回転可能に設置されている。なお、椅子Ｃは回転により昇降するように構成されている。また、被写体Ｍの上方、正面、背面にはそれぞれ照明用のストロボ２０ａが設置されており、被写体Ｍの正面には操作手順やその他撮影に関するガイド映像、撮影された証明写真画像等を表示する表示部４０、操作指示を入力するための操作部６０、メディアを挿入可能なスロット９２ａ、被写体Ｍである顧客が撮影室内に入室したことを検出するためのセンサＳ、撮影料金を精算するためのコインメック５０が設置されている。
【００１９】
図２に、写真撮影装置１００の内部構成を示す。
図２に示すように、写真撮影装置１００は、本体部１０、制御部１１、ストロボユニット２０、デジタルカメラ３０、表示部４０、コインメック５０、操作部６０、プリンタ部７０、通信部８０、コネクタ９１、メディア読込部９２、センサＳを備えて構成されている。
【００２０】
本体部１０は、制御部１１、Ｉ／Ｏ（Input/Output）コントロール１２、ＲＯＭ（Read Only Memory）１３、ＲＡＭ（Random Access Memory）１４、ＤＶＤ（Digital Versatile Disk-R）１５、Ｉ／Ｆ（InterFace）１６から構成されており、Ｉ／Ｏコントロール１２を会してストロボユニット２０、コインメック５０、操作部６０に接続されるとともに、Ｉ／Ｆ１６を介してプリンタ部７０に接続されている。
【００２１】
制御部１１は、ＲＯＭ１３に格納されるシステムプログラムや本発明に係る証明写真プリント処理プログラム（図３参照）等の各種制御プログラムを読み出してＲＡＭ１４に展開し、当該プログラムに従って各部の動作を集中制御する。
【００２２】
証明写真プリント処理では、コインメック５０から入力される入金の金額情報に基づいて釣銭金額を算出してコインメック５０に通知し、料金精算を行わせる。また、操作部６０を介して入力される操作指示に従って証明写真の写真種類等のプリント条件を設定するとともに、ストロボユニット２０、デジタルカメラ３０を制御して撮影を行わせる。また、撮影により得られた撮影画像に対し、設定された証明写真種類に応じて色補正、拡大／縮小、トリミング等の各種加工処理を施す。
【００２３】
また、同一シート上に複数プリントされる証明写真の一部を他の画像（付加画像）に置き換えることができるサービスプリントメニューが選択されると、付加画像（以下、サービス画像という）を生成する。そして、撮影画像のプリント指示が入力されると、所定のプリントフォーマットをＲＯＭ１３から読み出し、当該プリントフォーマットに従って指定された枚数分の撮影画像を配置するとともに、その空領域に生成されたサービス画像を配置した証明写真シートのプリントデータを生成し、当該生成されたプリントデータをプリンタ部７０に出力して証明写真シートのプリント出力を行わせる。すなわち、証明写真プリント処理プログラムと制御手段１１との協働により画像生成手段、制御手段を実現することができる。
【００２４】
Ｉ／Ｏコントロール１２は、本体部１０と、ストロボユニット２０、コインメック５０及び操作部６０との間で情報のやり取りを仲介するインターフェイスであり、制御部１１からの制御信号をストロボユニット２０、コインメック５０に送信するとともに６０からの操作信号を制御部１１に送信する。
【００２５】
ＲＯＭ１３は、システムプログラムの他、証明写真プリント処理プログラム等の各種制御プログラム及び各プログラムで処理されたデータ等を記憶する。また、プリントシートにおける撮影画像のコマ数、配置位置、或いはサービス画像のサイズ、コマ数、配置位置等のレイアウトを規定するプリントフォーマットのデータを記憶している。このプリントフォーマットは、証明写真の写真種類に応じて準備されている。
【００２６】
ＲＡＭ１４は、制御部１１によって実行される各種プログラム及びこれらプログラムに係るデータを一時的に記憶するワークエリアを形成する。また、ＲＡＭ１４は、デジタルカメラ３０により撮影された撮影画像の画像データを一時的に記憶するエリアを有する。
【００２７】
ＤＶＤ１５は、デジタルカメラ３０により撮影された撮影画像（原画像）の画像データを記憶するとともに、制御部１１により各種画像加工が施されて生成されたサービス画像の画像データを記憶する。
【００２８】
Ｉ／Ｆ１６は、本体部１０と、プリンタ部７０との間で情報のやり取りを仲介するインターフェイスであり、制御部１１において作成されたプリントデータをプリンタ部７０に送信する。
【００２９】
ストロボユニット２０は、制御部１１からの制御信号に従って、写真撮影装置１００の各位置に設置されたストロボ２０ａの発行タイミングや発光量を制御する。
【００３０】
デジタルカメラ３０は、光学レンズ、ＣＣＤ（Charge Coupled Device）等の光学センサ、Ａ／Ｄ変換部等から構成される撮影手段であり、光学レンズを介して入力される被写体像を光学センサにより光電変換して画像信号を生成する。そして、Ａ／Ｄ変換部によりアナログ画像信号からデジタル画像データを得て、当該デジタル画像データを本体部１０に出力する。なお、デジタルカメラ３０に代えて動画を記録可能なデジタルビデオカメラを撮影手段として適用することとしてもよい。
【００３１】
表示部４０は、ＬＣＤ（Liquid Crystal Display）等から構成され、このＬＣＤ上にプリント条件を選択するための条件選択画面等の各種操作画面を表示する。
【００３２】
コインメック５０は、硬貨や紙幣の入金口、釣銭の返金口等を備えた金銭登録機であり、入金口から入金された金額の情報を制御部１１に出力する。また、制御部１１から指示された金額の硬貨又は紙幣を釣銭返金口に排出する。
【００３３】
操作部６０は、表示部４０と一体に構成されるタッチパネルや、撮影室の内壁に設けられた選択キー、撮影キー等の各種機能キーを備えて構成される操作手段であり、押下されたキーに対応する操作信号を制御部１１に出力する。
【００３４】
プリンタ部７０は、制御部１１から入力されるプリントデータに基づいて所定のプリントシートにプリント出力を行うプリント手段である。本実施形態では、プリンタ部７０のプリント方式として、色材を昇華、転移させて画像を形成する昇華型熱転写方式が適用されていることとするが、記録受像層に転移させて画像を形成する溶融転写記録方式を適用することとしてもよいし、電子写真方式、インクジェット方式やその他のプリント方式であってもよい。また、銀塩写真像を形成するものであってもよい。
【００３５】
通信部８０は、ネットワークインターフェイスカード、モデム等の通信用インターフェイスから構成される通信手段であり、通信ネットワーク上の外部機器と相互に情報の送受信を行う。例えば、他の写真撮影装置に画像データを転送してプリント出力させたり、ホストサーバに画像データを転送して画像登録したりすることが可能である。
【００３６】
コネクタ９１は、携帯電話、デジタルカメラ等の電子機器を接続するためのインターフェイスである。
【００３７】
メディア読込部９２は、メディアを挿入するためのスロット９２ａを備え、制御部１１からの制御信号に従ってこのスロット９２ａに挿入されたメディアに記録されている画像データを読み出す。そして、読み出された画像データを制御部１１に送信する。
【００３８】
センサＳは、顧客が撮影室に入室したことを検出するものであり、顧客の入室を検出するとその検出信号を制御部１１に出力する。センサＳとしては、発光器と受光器とからなる光学式センサ等が適用可能である。
【００３９】
次に、第１実施形態における写真撮影装置１００の動作について説明する。
図３は、写真撮影装置１００により実行される証明写真プリント処理を説明するフローチャートであり、図４〜図７は証明写真プリント処理において表示部４０に表示される操作画面例を示す図である。
【００４０】
図３に示す証明写真プリント処理では、まずセンサＳにより顧客が撮影室に入室したことが検出されると、撮影室内の照明が点灯されるとともに、表示部４０に開始画面ｍ１（図４（ａ）参照）が表示され、規定料金を投入するようガイダンスが行われる。そして、顧客によりコインメック５０に入金されると、入金された料金金額に応じて制御部１１において釣銭の金額が算出され、釣銭が有る場合はコインメック５０の返金口に釣銭が排出されて、料金の精算が行われる（ステップＳ１）。
【００４１】
料金の精算が終了すると、操作部６０を介して入力される操作指示に応じてプリントする証明写真の写真種類の選択が行われる（ステップＳ２）。まず、表示部４０には条件選択画面ｍ２（図４（ｂ）参照）が表示され、この条件選択画面ｍ２においてプリント写真をカラープリント又は白黒プリントの何れにするかの選択が行われる。次に、条件選択画面ｍ３（図４（ｃ）参照）が表示され、免許証、履歴書、パスポート、大型（大型免許証）の４種の写真サイズのうち、顧客が所望する写真サイズの選択が行われる。各条件選択画面ｍ２、ｍ３において顧客により操作部６０を介して選択キーｋ１、ｋ２が操作されると、その選択操作により選択された写真種類に応じてプリント条件が設定される。
【００４２】
次いで、選択された写真種類はサービスプリントメニューを利用可能な写真種類であるか否かが判別される（ステップＳ３）。サービスプリントメニューが利用可能な写真種類としては免許証用、パスポート用、大型（免許証）用等、少なくとも１枚有れば足りる証明写真であり、利用不可能な写真種類は履歴書用等、複数有っても良い証明写真である。選択された写真種類が履歴書用の証明写真であり、サービスプリントメニューを利用できない場合（ステップＳ３；Ｎ）、ステップＳ４の処理に移行し、選択された写真種類が免許証、パスポート又は大型の何れかの証明写真であり、サービスプリントメニューを利用可能である場合（ステップＳ３；Ｙ）、ステップＳ８の処理に移行する。
【００４３】
まず、サービスプリントメニューが利用できない場合について説明する。
ステップＳ４では、表示部４０においてガイド画面ｍ４（図５（ａ）参照）が表示され、撮影ガイダンスが行われる。ガイド画面ｍ４では、撮影時の姿勢や位置等の証明写真の撮影に関する注意点の説明が表示されるとともに、撮影を指示するための撮影キーｋ３が表示される。そして、このガイド画面ｍ４において顧客により撮影キーｋ３が操作された、或いは制限時間が経過すると、ストロボユニット２０の制御によりストロボ２０ａにおいて発光が行われ、同時にデジタルカメラ３０により撮影が行われる（ステップＳ５）。
【００４４】
撮影が終了し、その撮影画像の画像データがデジタルカメラ３０から制御部１１に入力されると、制御部１１では当該撮影画像に対してサイズ調整、トリミング等の画像処理が行われて選択用画像が生成され、画像選択画面ｍ５（図５（ｂ）参照）上に選択的に表示される。この画像選択画面ｍ５において顧客により所望の選択用画像ｍ５１が選択されると、当該選択された選択用画像ｍ５１に対応する撮影画像に対してプリント出力用の画像処理が行われて出力用画像が生成される。生成された出力用画像はプリント決定画面ｍ６（図５（ｃ）参照）において表示される。プリント決定画面ｍ６では、出力用画像ｍ６１とともに、そのプリント出力を指示するためのプリントキーｋ６、取り直しを指示するための取り直しキーｋ７が表示される。
【００４５】
そして、プリント決定画面ｍ６においてプリントキーｋ６が操作されると、制御部１１においてステップＳ２で選択された写真種類に応じたプリントフォーマットがＲＯＭ１３から読み出され、当該プリントフォーマットに従ってプリント出力が指示された出力用画像ｍ６１が所定枚数分だけ配置された証明写真シートのプリントデータが生成される（ステップＳ６）。
【００４６】
次いで、生成された証明写真シートのプリントデータがプリンタ部７０に出力され、当該プリンタ部７０ではプリントシートのデータに基づいて証明写真シートのプリント出力が行われる（ステップＳ７）。そして、プリント出力された証明写真シートが取出口７１に排出されると、本処理を終了する。
【００４７】
次に、ステップＳ３において選択された写真種類はサービスプリントメニューを利用可能な写真種類であった場合についてステップＳ８から説明する。
ステップＳ８では、表示部４０にプリントメニュー画面ｍ７（図６（ａ）参照）が表示され、プリントする証明写真の一部を他の画像に置き換えることができるサービスプリントメニューの利用ガイダンスが行われる。プリントメニュー画面ｍ７では、サービスプリントメニューが利用可能であることを通知するメッセージが表示されるとともに、サービスプリントメニューを利用するか否かを選択するための選択キーｋ８が表示される。そして、選択キーｋ８によりサービスプリントメニューを利用しないことが選択された場合（ステップＳ９；Ｎ）、ステップＳ４の処理に移行し、上述したステップＳ４〜Ｓ７の処理を実行して本処理を終了する。すなわち、証明写真として撮影画像が複数枚配置された証明写真シートがプリント出力される。
【００４８】
一方、サービスプリントメニューを利用することが選択された場合（ステップＳ９；Ｙ）、表示部４０にサービス画像選択画面ｍ８（図６（ｂ）参照）が表示され、証明写真のプリント枚数の指定及び証明写真の一部と置き換えるサービス画像の種類の選択が行われる（ステップＳ１０）。本実施形態では、サービス画像として、（１）証明写真のプリントに使用した撮影画像に背景画像を合成したサービス画像をプリントする、（２）カメラ付き携帯電話やデジタルカメラ等で撮影された画像を外部から取り込んでサービス画像としてプリントする、（３）証明写真のプリントに使用した撮影画像を用いた名刺をサービス画像としてプリントする、の３種類が選択可能に構成されていることとする。
【００４９】
そして、サービス画像選択画面ｍ８において上機（１）〜（３）の何れかのサービス画像の種類が選択されると、次にサービス画像のプリント条件の設定が行われる（ステップＳ１１）。例えば、（１）の背景画像を合成したサービス画像が選択された場合、図６（ｃ）に示すような背景設定画面ｍ９が表示され、合成する背景画像を選択するようガイダンスが行われる。そして、選択された背景画像がプリント時の合成に使用する背景画像として設定される。また、（２）の外部からの取込画像のサービス画像が選択された場合、図７（ａ）に示すような取込設定画面ｍ１０が表示され、サービス画像として取り込む画像が記録されている携帯電話をコネクタ９１に接続する又はメディアをスロット９２ａに挿入する等、画像を取り込む準備をするようガイダンスが行われる。写真撮影装置１００では、コネクタ９１に接続された携帯電話、或いはスロット９２ａに挿入されたメディア等から取込対象の画像が読み出される。さらに、（３）の名刺のサービス画像が選択された場合、図７（ｂ）に示すような名刺設定画面ｍ１１が表示され、名刺に記載する氏名、住所等の記載事項の文字入力を行うようガイダンスが行われる。名刺設定画面ｍ１１ではキーボードｍ１１１が表示されるので、顧客は操作部６０によりこのキーボードｍ１１１を操作することにより文字入力を行うことができる。写真撮影装置１００では、入力された文字が名刺の記載事項として設定される。
【００５０】
各設定画面ｍ９〜ｍ１１においてそれぞれサービス画像のプリント条件の設定が終了すると、表示部４０においてガイド画面ｍ４（図５（ａ）参照）が表示され、撮影ガイダンスが行われる（ステップＳ１２）。ガイド画面ｍ４については上述したとおりであるのでここでは説明を省略する。そして、ガイド画面ｍ４において顧客により撮影キーｋ３が操作された、或いは制限時間が経過すると、ストロボユニット２０の制御によりストロボ２０ａにおいて発光が行われ、同時にデジタルカメラ３０により撮影が行われる（ステップＳ１３）。
【００５１】
撮影が終了し、その撮影画像の画像データがデジタルカメラ３０から制御部１１に入力されると、制御部１１ではステップＳ１０で選択された種類のサービス画像が生成される（ステップＳ１４）。例えば、（１）の背景画像の合成が選択された場合、背景設定画面ｍ９において選択された背景画像に撮影により得られた撮影画像が合成され、サービス画像が生成される。また、（２）の取込画像が選択された場合、携帯電話又はメディア等から取り込まれた取込画像に対してプリント出力用に色補正、サイズ調整、トリミング等の画像加工が行われ、サービス画像として生成される。さらに、（３）の名刺プリントが選択された場合、撮影画像及び名刺設定画面ｍ１１において入力された文字画像が名刺フォーマットに合成されたサービス画像が生成される。
【００５２】
次いで、制御部１１では当該撮影画像に対してサイズ調整、トリミング等の画像処理が行われて選択用画像が生成され、画像選択画面ｍ５（図５（ｂ）参照）上に選択的に表示される。この画像選択画面ｍ５において顧客により所望の選択用画像ｍ５１が選択されると、当該選択された選択用画像ｍ５１に対応する撮影画像に対してプリント出力用の画像処理が行われて出力用画像が生成される。生成された出力用画像はプリント決定画面ｍ６（図５（ｃ）参照）において表示される。
【００５３】
そして、プリント決定画面ｍ６においてプリントキーｋ６が操作されると、制御部１１ではステップＳ２で選択された写真種類に応じたプリントフォーマットがＲＯＭ１３から読み出され、当該プリントフォーマットに従ってプリント出力が指示された出力用画像ｍ６１が、ステップＳ１０において指定された証明写真のプリント枚数分だけ配置されるとともに、残りの空領域に生成されたサービス画像が配置された証明写真シートのプリントデータが生成される（ステップＳ１５）。
【００５４】
次いで、生成された証明写真シートのプリントデータがプリンタ部７０に出力され、当該プリンタ部７０ではプリントデータに基づいて証明写真シートのプリント出力が行われる（ステップＳ７）。そして、プリント出力された証明写真シートが取出口７１に排出されると、本処理を終了する。
【００５５】
図８に、サービス画像がプリントされた証明写真シート例を示す。なお、図８ではパスポート用の証明写真（１枚の証明写真シートに５コマの証明写真）が選択され、証明写真のプリント枚数として２枚指定された例を示している。
図８（ａ）は背景画像と撮影画像が合成されたサービス画像例を示す図である。図８（ａ）に示すように、証明写真シートｈ１では証明写真として指定された２コマの撮影画像ｐ１とともに、残りの３コマの分の空領域に背景画像と撮影画像が合成されて生成されたサービス画像ｐ２が配置されてプリントされている。
【００５６】
また、図８（ｂ）は外部からの取込画像に基づいて生成されたサービス画像例を示す図である。図８（ｂ）に示すように、証明写真シートｈ２では証明写真として指定された２コマの撮影画像ｐ１とともに、残りの３コマ分の空領域に取込画像から生成されたサービス画像ｐ３が配置されてプリントされている。
【００５７】
また、図８（ｃ）は撮影画像を用いて生成された名刺のサービス画像例を示す図である。図８（ｃ）に示すように、証明写真シートｈ３では証明写真として指定された２コマの撮影画像ｐ１とともに、残りの３コマ分の空領域に撮影画像と入力文字画像が名刺画像フォーマットに合成されて生成されたサービス画像ｐ４が配置されてプリントされている。
【００５８】
以上のように、第１実施形態によれば、一のプリントシート上に証明写真として複数の撮影画像をプリントする際に、必要最小限のプリント枚数分だけ証明写真をプリントし、残りの空領域にサービス画像をプリントする。従って、余分な証明写真のプリントをやめて無駄を省くことができる。また、顧客は証明写真とともにサービス画像のプリント写真を得て有効活用することができる。すなわち、顧客の写真撮影装置１００に対する満足度を向上させることができる。
【００５９】
なお、第１実施形態における記述内容は、本発明を適用した写真撮影装置１００の好適な一例であり、これに限定されるものではない。
【００６０】
上述した説明では、サービス画像として、背景画像との合成画像、取込画像、名刺画像をプリントする例を説明したが、サービス画像はこれらに限らない。例えば、撮影画像のサイズを小さく又は大きくした画像をサービス画像とする、撮影画像から輪郭抽出処理を行って抽出された輪郭部分を似顔絵風に加工処理した処理画像をサービス画像とする、或いは撮影画像を階調変換し、肌の色を白くして色白風に仕上げたり逆に茶褐色として日焼け風に仕上げたりと階調処理を施した処理画像をサービス画像とする等、各種加工処理を施した処理画像をサービス画像とすることとしてもよい。
【００６１】
また、写真撮影装置１００側で撮影の日付等を自動的に撮影画像に合成したりすることとしてもよいし、タッチパネル用のタッチペンを備えて、当該タッチペンにより入力された文字や絵等の画像を撮影画像に合成した合成画像をサービス画像としてもよい。また、証明写真用の撮影からもう一度顧客（証明写真を撮影した顧客と同一人物でもよいし、その友人等、異なる人物であってもよい）の撮影を行い、この時間差で撮影された異なる撮影画像を合成した合成画像をサービス画像としてもよい。さらに、サービス画像がプリントされた領域にラメ加工を施す等してもよい。
【００６２】
その他、第１実施形態における写真撮影装置１００の細部構成及び細部動作に関しても、本発明の趣旨を逸脱することのない範囲で適宜変更可能である。
【００６３】
〈第２実施形態〉
第２実施形態では、証明写真用に撮影された撮影画像を複数並べて配置した証明写真シートをプリント出力した後、証明写真用に撮影された撮影画像を用いて名刺画像を生成し、当該生成された名刺画像に基づいて名刺シートをプリント出力する例を説明する。
【００６４】
まず、構成を説明する。
第２実施形態における写真撮影装置の外観は、第１実施形態における写真撮影装置１００（図１参照）と同一であるので、ここではその図示及び説明を省略する。
【００６５】
図９に、第２実施形態における写真撮影装置２００の内部構成を示す。なお、第１実施形態における写真撮影装置１００と同一の構成部には同一の符号を付す。
図９に示すように、写真撮影装置２００は、本体部１０、ストロボユニット２０、デジタルカメラ３０、表示部４０、コインメック５０、操作部６０、プリンタ部（証明写真用）７０ａ、プリンタ部（名刺用）７０ｂ、通信部８０、コネクタ９１、メディア読込部９２、センサＳを備えて構成されている。
【００６６】
また、本体部１０は、制御部１１、Ｉ／Ｏコントロール１２、ＲＯＭ１３、ＲＡＭ１４、ＤＶＤ１５、Ｉ／Ｆ１６から構成されている。
【００６７】
以下、各部について説明するが、Ｉ／Ｏコントロール１２、ＲＯＭ１３、ＲＡＭ１４、ＤＶＤ１５、Ｉ／Ｆ１６、表示部４０、コインメック５０、操作部６０、通信部８０、コネクタ９１、メディア読込部９２、センサＳの各部は、第１実施形態における構成と同一であるので、ここでは説明を省略し、第１実施形態と異なる機能を発揮する制御部１１、ＲＯＭ１３、プリンタ部７０ａ、プリンタ部７０ｂについてのみ説明する。
【００６８】
制御部１１は、ＲＯＭ１３に格納されるシステムプログラムや本発明に係る名刺プリント処理プログラム（図１０参照）等の各種プログラムを読み出してＲＡＭ１４に展開し、当該プログラムに従って各部の動作を集中制御する。
【００６９】
名刺プリント処理では、コインメック５０により料金精算を行わせるとともに、操作部６０を介して入力される操作指示に従って証明写真の写真種類等のプリント条件を設定する。また、ストロボユニット２０、デジタルカメラ３０を制御して撮影を行わせるとともに、撮影により得られた撮影画像に対し、色補正、拡大／縮小、トリミング等の各種加工処理を施し、加工処理された撮影画像を証明写真用に同一シート上に複数配置した証明写真シートのプリントデータを生成し、当該プリントデータをプリンタ部７０ａに出力して証明写真シートをプリント出力させる。
【００７０】
また、証明写真用に撮影された撮影画像を用いて名刺を作成することができる名刺プリントメニューが選択されると、名刺用に撮影画像を拡大／縮小してサイズ調整し、当該拡大／縮小された撮影画像（これを名刺用画像という）を生成する。そして、名刺用のプリントフォーマットをＲＯＭ１３から読み出し、当該プリントフォーマットに従って名刺用画像を配置するとともに、操作部６０を介して入力される名刺の記載事項の文字画像を配置した名刺シートのプリントデータを生成する。そして、生成された名刺シート用のプリントデータをプリンタ部７０ｂに出力して指定された枚数分だけ名刺シートをプリント出力させる。すなわち、名刺プリント処理と制御部１１との協働により制御手段を実現することができる。
【００７１】
ＲＯＭ１３は、証明写真用のプリントフォーマットをその写真種類毎に記憶しているとともに、名刺用のプリントフォーマットを記憶する。名刺用のプリントフォーマットは、名刺用画像の配置位置、名刺に記載する氏名、住所、会社名、メールアドレス等の各種記載事項の文字画像を配置する位置等のレイアウトが規定されているものである。
【００７２】
プリンタ部７０ａ、７０ｂは、制御部１１から入力されたプリントデータに従って、プリント出力を行うプリント手段であり、プリンタ部７０ａは証明写真用のプリントシートにプリント出力を行う証明写真専用のプリンタであり、プリンタ部７０ｂは名刺用のプリントシートにプリント出力を行う名刺専用のプリンタである。
【００７３】
次に、第２実施形態における写真撮影装置２００の動作について説明する。
図１０は、写真撮影装置２００により実行される名刺プリント処理を説明するフローチャートである。なお、この名刺プリント処理中に表示部４０に表示される操作画面例として、第１実施形態で参照した図５〜図７を引用する。
【００７４】
図１０に示す名刺プリント処理では、まずセンサＳにより顧客が撮影室に入室したことが検出されると、撮影室内の照明が点灯されるとともに、表示部４０に開始画面ｍ１（図４（ａ）参照）が表示され、規定料金を投入するようガイダンスが行われる。そして、顧客によりコインメック５０に入金されると、入金された料金金額に応じて制御部１１において釣銭の金額が算出され、釣銭が有る場合はコインメック５０の返金口に釣銭が排出されて、料金の精算が行われる（ステップＳ１０１）。
【００７５】
料金の精算が終了すると、操作部６０を介して入力される操作指示に応じてプリントする証明写真の写真種類の選択が行われる（ステップＳ１０２）。まず、表示部４０には条件選択画面ｍ２（図４（ｂ）参照）が表示され、この条件選択画面ｍ２においてプリント写真をカラープリント又は白黒プリントの何れにするかが選択されると、次に条件選択画面ｍ３（図４（ｃ）参照）が表示され、免許証、履歴書、パスポート、大型（大型免許証）の４種の写真サイズのうち、顧客が所望する写真サイズの選択が行われる。各条件選択画面ｍ２、ｍ３において顧客により操作部６０を介して選択キーｋ１、ｋ２が操作されると、その選択操作により選択された写真種類に応じてプリント条件が設定される。
【００７６】
次いで、表示部４０においてガイド画面ｍ４（図５（ａ）参照）が表示され、撮影ガイダンスが行われる（ステップＳ１０３）。ガイド画面ｍ４では、撮影時の姿勢や位置等の証明写真の撮影に関する注意点の説明が表示されるとともに、撮影を指示するための撮影キーｋ３が表示される。そして、このガイド画面ｍ４において顧客により撮影キーｋ３が操作された、或いは制限時間が経過すると、ストロボユニット２０の制御によりストロボ２０ａにおいて発光が行われ、同時にデジタルカメラ３０により撮影が行われる（ステップＳ１０４）。
【００７７】
次いで、撮影が終了し、その撮影画像の画像データがデジタルカメラ３０から制御部１１に入力されると、制御部１１では当該撮影画像に対してサイズ調整、トリミング等の画像処理が行われて選択用画像が生成され、画像選択画面ｍ５（図５（ｂ）参照）上に選択的に表示される。この画像選択画面ｍ５において顧客により所望の選択用画像が選択されると、当該選択された選択用画像に対応する撮影画像に対してプリント出力用の画像処理が行われて出力用画像が生成される。生成された出力用画像はプリント決定画面ｍ６（図５（ｃ）参照）において表示される。プリント決定画面ｍ６では、出力用画像ｍ６１とともに、そのプリント出力を指示するためのプリントキーｋ６、取り直しを指示するための取り直しキーｋ７が表示される。
【００７８】
そして、プリント決定画面ｍ６においてプリントキーｋ６が操作されると、制御部１１においてステップＳ２で選択された写真種類に応じたプリントフォーマットがＲＯＭ１３から読み出され、当該プリントフォーマットに従ってプリント出力が指示された出力用画像ｍ６１が所定枚数分だけ配置された証明写真シートのプリントデータが生成される（ステップＳ１０５）。次いで、生成された証明写真シートのプリントデータプリンタ部７０ａに出力され、当該プリンタ部７０ａではプリントシートのデータに基づいて証明写真シートのプリント出力が開始される（ステップＳ１０６）。
【００７９】
プリンタ部７０ａにおいてプリント出力が開始されると、表示部４０にプリントメニュー画面ｍ１２（図１１参照）が表示され、証明写真用に撮影された撮影画像を用いて名刺シートをプリント出力することができる名刺プリントメニューの利用ガイダンスが行われる（ステップＳ１０７）。プリントメニュー画面ｍ１２では、名刺プリントメニューが利用可能であることを通知するメッセージが表示されるとともに、名刺プリントメニューを利用するか否かを選択するための選択キーｋ９が表示される。そして、選択キーｋ９により名刺プリントメニューを利用しないことが選択された場合（ステップＳ１０８；Ｎ）、プリンタ部７０ａにおいて証明写真シートのプリント出力が終了するのを待って、本処理を終了する。
【００８０】
一方、名刺プリントメニューを利用することが選択された場合（ステップＳ１０８；Ｙ）、名刺シートのプリント枚数を指定するための条件選択画面（図示せず）が表示部４０に表示され、この条件選択画面において操作部６０を介して指定されたプリント枚数が名刺シートのプリント条件として設定されると、次に名刺設定画面ｍ１１（図７（ｂ）参照）が表示され、この名刺設定画面ｍ１１において名刺に記載する氏名や住所等の記載事項についての文字入力が行われる（ステップＳ１０９）。文字入力は、第１実施形態でも説明したように名刺設定画面ｍ１１上に表示されたキーボードｍ１１１により行うことができる。
【００８１】
文字入力が終了すると、制御部１１では撮影画像が名刺用にサイズ調整されて名刺用画像が生成され、ＲＯＭ１３から名刺用のプリントフォーマットが読み出され、当該プリントフォーマットに従って生成された名刺用画像及び名刺設定画面ｍ１１において入力された各記載事項の文字に対応する文字画像が所定位置に配置された名刺シートのプリントデータが生成される（ステップＳ１１０）。
【００８２】
次いで、生成された名刺シートのプリントデータがプリンタ部７０ｂに出力され、当該プリンタ部７０ｂではプリントのシートのデータに基づいて名刺シートのプリント出力が行われる（ステップＳ１１１）。そして、プリント出力された名刺シートが取出口７１に排出されると、本処理を終了する。
【００８３】
図１２に、名刺プリント処理においてプリント出力された証明写真シート、名刺シートの一例を示す。
図１２に示すように、名刺プリントメニューが利用された場合、まず１シート目に証明写真用にサイズ調整された出力用画像ｐ１が５コマ配置された証明写真シートｈ４がプリント出力される。次いで、２シート目以降、撮影画像ｐ１が名刺用にサイズ調整された名刺用画像ｐ２とともに氏名、住所等の記載事項の文字画像ｐ６が配置された名刺シートｈ５がプリント出力される。
【００８４】
以上のように、第２実施形態によれば、証明写真用に撮影された撮影画像を用いて名刺シートをプリント出力することができる。従って、撮影により得られた撮影画像を有効活用することができる。また、顧客は証明写真とともに名刺も得ることができ、写真撮影装置２００に対する満足度を向上させることができる。
【図面の簡単な説明】
【００８５】
【図１】第１実施形態における写真撮影装置１００の透視図である。
【図２】写真撮影装置１００の内部構成を示す図である。
【図３】写真撮影装置１００により実行される証明写真プリント処理を説明するフローチャートである。
【図４】表示部４０に表示される操作画面例を示す図であり、（ａ）開始画面ｍ１、（ｂ）条件選択画面ｍ２、（ｃ）条件選択画面ｍ３を示す図である。
【図５】表示部４０に表示される操作画面例を示す図であり、（ａ）ガイド画面ｍ４、（ｂ）画像選択画面ｍ５、（ｃ）プリント決定画面ｍ６を示す図である。
【図６】表示部４０に表示される操作画面例を示す図であり、（ａ）プリントメニュー画面ｍ７、（ｂ）サービス画像選択画面ｍ８、（ｃ）背景設定画面ｍ９を示す図である。
【図７】表示部４０に表示される操作画面例を示す図であり、（ａ）取込設定画面ｍ１０、（ｂ）名刺設定画面ｍ１１を示す図である。
【図８】プリント出力された証明写真シート例を示す図であり、証明写真用の撮影画像とともに、（ａ）背景画像が合成されたサービス画像がプリントされた証明写真シートｈ１、（ｂ）取込画像から生成されたサービス画像がプリントされた証明写真シートｈ２、（ｃ）撮影画像を用いた名刺のサービス画像がプリントされた証明写真シートｈ３を示す図である。
【図９】第２実施形態における写真撮影装置２００の内部構成を示す図である。
【図１０】写真撮影装置２００により実行される名刺プリント処理を説明するフローチャートである。
【図１１】表示部４０に表示されるプリントメニュー画面ｍ１２を示す図である。
【図１２】名刺プリント処理においてプリント出力された証明写真シートｈ４及び名刺シートｈ５を示す図である。
【符号の説明】
【００８６】
１００    写真撮影装置
１０    本体部
１１    制御部
１２    Ｉ／Ｏコントロール
１３    ＲＯＭ
１４    ＲＡＭ
１５    ＤＶＤ
１６    Ｉ／Ｆ
２０    ストロボユニット
２０ａ    ストロボ
３０    デジタルカメラ
４０    表示部
５０    コインメック
６０    操作部
７０    プリンタ部
８０    通信部
９１    コネクタ
９２    メディア読込部
Ｓ    センサ
２００    写真撮影装置（第２実施形態）
７０ａ    プリンタ部（証明写真用）
７０ｂ    プリンタ部（名刺用）
【図１】
2005303800.tif 000003
【図２】
2005303800.tif 000004
【図３】
2005303800.tif 000005
【図４】
2005303800.tif 000006
【図５】
2005303800.tif 000007
【図６】
2005303800.tif 000008
【図７】
2005303800.tif 000009
【図８】
2005303800.tif 000010
【図９】
2005303800.tif 000011
【図１０】
2005303800.tif 000012
【図１１】
2005303800.tif 000013
【図１２】
2005303800.tif 000014